(57)【要約】【課題】融雪用熱量を供給する加熱手段によって発熱する表面プレートを有する融雪装置用面状発熱体において、地表面に設置可能な耐久強度を有し、その維持管理が簡単にできるようにし、寒冷地の降雪特性に最適な融雪性能を発揮して、融雪時間を短縮するとともに節電による省エネルギーを図り、設置作業も簡単にできる融雪装置用面状発熱体を提供する。【解決手段】融雪用熱量を供給する加熱手段７によって発熱する表面プレート８を補強部９と枠部１０により支持して面状発熱体１を構成する。中央に凹部を有し表面プレート８と接触する平面部が下方に鋭角に傾斜した固定部材１１により隣接する面状発熱体１の表面プレート８を上方から枠部１０に固定するよう構成する。【選択図】  図１
2004285665.tif 000002
【特許請求の範囲】
【請求項１】
融雪用熱量を供給する加熱手段と、この加熱手段によって発熱する表面プレートと、この表面プレートを支持する補強部と枠部とを備えた面状発熱体を有し、中央に凹部を有し前記表面プレートと接触する平面部が下方に鋭角に傾斜した固定部材により隣接する面状発熱体の表面プレートを上方から枠部に固定するよう構成した融雪装置用面状発熱体。
【請求項２】
融雪用熱量を供給する加熱手段と、この加熱手段によって発熱する表面プレートと、この表面プレートを支持する補強部と枠部とを備えた面状発熱体を有し、この面状発熱体の端部にスロープ部材を設け、中央に凹部を有し前記表面プレートと接触する平面部が下方に鋭角に傾斜した固定部材により面状発熱体の表面プレートとスロープ部材を枠部に固定するよう構成した融雪装置用面状発熱体。
【請求項３】
融雪用熱量を供給する加熱手段と、この加熱手段によって発熱する表面プレートと、この表面プレートを支持する補強部と枠部とを備えた面状発熱体を有し、スロープ状に形成した固定部材により面状発熱体の表面プレートの端部を上方から枠部に固定するよう構成した融雪装置用面状発熱体。
【請求項４】
加熱手段に電力を供給する電力供給電線を固定部材に内挿した請求項３記載の融雪装置用面状発熱体。
【請求項５】
固定部材内に電力供給電線を固定する電線固定部を設けた請求項３または４記載の融雪装置用面状発熱体。
【請求項６】
固定部材の中央の凹部を覆うカバーを設けた請求項１〜５のいずれか１項に記載の融雪装置用面状発熱体。
【請求項７】
固定部材を熱伝導性の優れた材料で構成した請求項１〜６のいずれか１項に記載の融雪装置用面状発熱体。
【請求項８】
表面プレート上にすべり止め層を設けるとともに、固定部材の装着部のすべり止め層を切り欠き、前記固定部材の上面部が表面プレートの上面部より少なくとも下方に位置した請求項１〜７のいずれか１項に記載の融雪装置用面状発熱体。
【請求項９】
固定部材を装着する表面プレートの一部に段差を設けた請求項１〜８のいずれか１項に記載の融雪装置用面状発熱体。
【請求項１０】
表面プレートおよび固定部材上を覆うすべり止め層を設けた請求項１〜７のいずれか１項に記載の融雪装置用面状発熱体。
【発明の詳細な説明】
【０００１】
【発明の属する技術分野】
本発明は、融雪用熱量を供給する加熱手段によって発熱する表面プレートを有する融雪装置用面状発熱体に関するものである。
【０００２】
【従来の技術】
従来、積雪の多い寒冷地においては、公共の道路はもとより、一般家庭や店舗の敷地の、特に歩道から一般家庭の玄関、車庫あるいは駐車スペースまでのアプローチの除雪作業が積雪期の日常生活での大きな問題とされてきている。
【０００３】
これを解決するため、従来から、発熱体として電熱線や温水パイプ等を敷地内の地面に埋設し、路面の加熱を行うことで融雪を行う融雪装置が提案されている（例えば、特許文献１参照）。すなわち、「電熱線」は通電することでジュール熱によって発熱するものであり、「温水パイプ」は灯油ボイラーの燃焼で加熱した温水（実際は不凍液）を熱媒として循環することで発熱するものである。
【０００４】
これらの加熱によって路面温度を上昇させて、路面上の雪を融雪するものである。このような融雪装置は、ロードヒーティング装置、あるいはロードヒーティングとも呼ばれる。
【０００５】
図１２は、その融雪装置１００の例を示しており、発熱体としての電熱線１０４は、路床部１０１の上面に金属メッシュとともに敷設されて、コンクリート路盤部１０２、アスファルト舗装部１０３にて埋設されている。もちろん、電熱線１０４の位置に温水パイプを埋設したものもあるが、その埋設部の基本的な構成は同様である。そして、融雪装置１００は、降雪１０５を検知するために、降雪センサー、気温センサー、地温センサー、水分センサー（センサー類の図示は省略）を備えて、各センサーからの信号に応じて自動運転を行ったり、あるいは使用者の判断で手動運転するための制御装置を備えている。
【０００６】
さらに、玄関先や階段といった、主として人の通行が行われる場所には、単に置くだけでよいマット状の発熱体で融雪するものもある（例えば、特許文献２参照）。これは、一般には、加熱手段をその内部に一体に成形したゴムシート状のクッション材であって、降雪時に通電すれば、比較的に速やかに表面の雪を融雪できるものである。このようなものは融雪マットあるいは発熱マットとも呼ばれている。
【０００７】
【特許文献１】
特開平１１−３３６０３８号公報
【特許文献２】
特開平２−１０８２９１号公報
【０００８】
【発明が解決しようとする課題】
しかしながら、上述の従来構成の融雪装置１００では、発熱体である電熱線１０４や温水パイプを地表から約１００ｍｍの地中に埋設している。このため、降雪１０５をセンサーが検知して、ただちに自動運転を開始、または手動による運転を開始しても、しばらくの間は、発熱体である電熱線１０４はその上部の地面を加熱することで、融雪装置１００全体の温度を上昇させるために、運転時間と電気エネルギーを必要として、降雪１０５によって地表に堆積する雪をただちに融雪するには至らない。このように、融雪までに時間がかかるという問題を有していた。温水パイプでも、この点では同様である。
【０００９】
また、降雪１０５は、通常、２４時間連続的に発生することは少なくて、間欠的に降雪することが多い。したがって、融雪装置１００の運転も、間欠的であることが多くて、その都度、低温度の外気によって、融雪装置１００の温度は低下する。そこで、次回の降雪時には、一度冷却した路面全体を再度加温するために時間が必要である。このような原因によっても、電気あるいは灯油の消費量が多くなるので、ランニングコストが高い。
【００１０】
このように、積雪期全体を通じて考えると、融雪装置１００自体の温度上昇のために使用されるエネルギーの割合が大きくて、また、間欠的な運転によるエネルギーの損失も大きい。この点からみると、従来の融雪装置はその融雪性能が不適切であって、エネルギーの利用効率が低いと言える。
【００１１】
もちろん、土木工事によって、地中に発熱体を埋設する融雪装置１００であるから、その施工には長時間の工期が必要で、そのための工事費も高い。
【００１２】
また、地表面に設置できる融雪マットの場合も、一般にはゴムシートの厚さが約１０ｍｍ程度のものであって、自動車等の重量により加熱手段に直接、荷重がかかるため、駐車場に設置できるだけの強度は有していない。また、傘の先端やスコップ等の鋭利なもので突いたときの強度も、ゴムシートでは十分とは言えない。したがって、このような構成のものでは、駐車スペースやそのアプローチとしての耐久強度に関して問題があるといえる。
【００１３】
また、表面の傷や変色等によって劣化した場合には、発熱体全体を交換する必要があって、日常の維持管理には相当の作業と交換費用を要するので、メンテナンス性に優れているとは言えない。
【００１４】
また、地表面に設置する場合、融雪マットを固定するのに、各融雪マットごとにビス締めして、地面に固定しなければならず、手間がかかるものである。また、地面に固定しなければ、融雪マットにかかる自動車等による横荷重により、融雪マットが移動してしまうため駐車場の設置に適していないのは言うまでもない。
【００１５】
すなわち、従来の融雪装置１００や融雪マットでは、敷地内の駐車スペースやアプローチに用いるには、その融雪性能あるいは耐久強度やメンテナンス性、設置作業性に関して問題を有する。
【００１６】
本発明は上記従来の課題を解決するもので、地表面に設置可能な耐久強度を有し、その維持管理が簡単にできるようにし、寒冷地の降雪特性に最適な融雪性能を発揮して、融雪時間を短縮するとともに節電による省エネルギーを図り、設置作業も簡単にできる融雪装置用面状発熱体を提供することを目的としている。
【００１７】
【課題を解決するための手段】
本発明は上記目的を達成するために、融雪用熱量を供給する加熱手段によって発熱する表面プレートを補強部と枠部により支持して面状発熱体を構成し、中央に凹部を有し表面プレートと接触する平面部が下方に鋭角に傾斜した固定部材により隣接する面状発熱体の表面プレートを上方から枠部に固定するよう構成したものである。
【００１８】
これにより、地表面に設置可能な耐久強度を有し、その維持管理を簡単にすることができ、寒冷地の降雪特性に最適な融雪性能を発揮することで、融雪時間を短縮できるとともに節電による省エネルギーを図ることができ、設置作業も簡単にできる融雪装置用面状発熱体を提供することができる。
【００１９】
【発明の実施の形態】
本発明の請求項１に記載の発明は、融雪用熱量を供給する加熱手段と、この加熱手段によって発熱する表面プレートと、この表面プレートを支持する補強部と枠部とを備えた面状発熱体を有し、中央に凹部を有し前記表面プレートと接触する平面部が下方に鋭角に傾斜した固定部材により隣接する面状発熱体の表面プレートを上方から枠部に固定するよう構成したものであり、地表面に設置したとき、固定部材の中央の凹部にボルト等の固定金具を設けることで、固定金具が表面プレート上に突出することなく、表面プレートを固定でき、また、表面プレートを固定する固定部材の平面部が下方に鋭角に傾斜しているので、固定強度を増大することができる。さらに、隣接する複数の表面プレートを固定できるので、設置の手間を省くことができる。また、補強部で表面プレートにかかる荷重を支える構成で、駐車場等の地表面に設置可能で表面プレートの温度が速やかに上昇し、融雪効果を発揮するので、短時間に融雪をおこなうことができる。
【００２０】
また、施工時には、地表面に設置するため、地面を掘り返す等の土木作業を要せず、装置の施工が非常に簡単である。すなわち、施工時間を短縮することで、施工にかかるコストを削減できるとともに、取り外しが簡単なためメンテナンスも短時間で行うことができる。また、表面プレートの温度を速やかに上昇させて、少ない消費電力量で、優れた融雪性能を実現することができる。
【００２１】
請求項２に記載の発明は、融雪用熱量を供給する加熱手段と、この加熱手段によって発熱する表面プレートと、この表面プレートを支持する補強部と枠部とを備えた面状発熱体を有し、この面状発熱体の端部にスロープ部材を設け、中央に凹部を有し前記表面プレートと接触する平面部が下方に鋭角に傾斜した固定部材により面状発熱体の表面プレートとスロープ部材を枠部に固定するよう構成したものであり、施工およびメンテナンスを短時間で行うことができるとともに、面状発熱体と地表面の段差をスロープ部材により緩衝することができる。すなわち、施工時間を短縮することで、施工にかかるコストを削減できるとともに、取り外しが簡単なためメンテナンスも短時間で行うことができる。また、スロープ部材により歩行者や自転車、車いすなどがスムーズに移動することができる。さらに、表面プレートの温度を速やかに上昇させて、少ない消費電力量で、優れた融雪性能を実現することができる。
【００２２】
請求項３に記載の発明は、融雪用熱量を供給する加熱手段と、この加熱手段によって発熱する表面プレートと、この表面プレートを支持する補強部と枠部とを備えた面状発熱体を有し、スロープ状に形成した固定部材により面状発熱体の表面プレートの端部を上方から枠部に固定するよう構成したものであり、施工およびメンテナンスを短時間で行うことができる。固定部材によって、表面プレートが固定されるとともに、同時に面状発熱体の端部の段差も緩衝できるので、歩行者や自転車、車いす等スムーズに移動することができる。すなわち、地表面に設置可能な強度を有し、施工時間を短縮することで、施工にかかるコストを削減できるとともに、取り外しが簡単なためメンテナンスも短時間で行うことができる。また、表面プレートの温度を速やかに上昇させて、少ない消費電力量で、優れた融雪性能を実現することができる。
【００２３】
請求項４に記載の発明は、上記請求項３に記載の発明において、加熱手段に電力を供給する電力供給電線を固定部材に内挿したものであり、スロープ部材により面状発熱体外部の衝撃から電線を保護することができ、耐久性を向上することができる。すなわち、地表面設置可能な耐久強度を備え、融雪性能に優れ、施工時間を短縮することで、施工にかかるコストを削減できるとともに、取り外しが簡単なためメンテナンスも短時間で行うことができる。
【００２４】
請求項５に記載の発明は、上記請求項３または４に記載の発明において、固定部材内に電力供給電線を固定する電線固定部を設けたものであり、固定部材内に収める作業が簡単になるとともに、電力供給電線が面状発熱体から突出することもない。すなわち、電送部の耐久強度および融雪性能に優れ、施工時間を短縮することで、施工にかかるコストを削減できるとともに、取り外しが簡単なためメンテナンスも短時間で行うことができる。
【００２５】
請求項６に記載の発明は、上記請求項１〜５に記載の発明において、固定部材の中央の凹部を覆うカバーを設けたものであり、固定部材を固定するボルト等の固定金具をカバーで覆うことで、固定金具が緩むのを防ぐことができる。さらに、カバーの設置高さを表面プレートと同じ高さかそれ以下にすることで、面状発熱体上が平面で構成され、固定部材で歩行者が引っかかることもなく、また、ごみやほこりが滞留しないようにできる。また、ねじ部が外部から見えないので、美観的にも優れている。すなわち、耐久強度および融雪性能に優れ、施工時間を短縮することで、施工にかかるコストを削減できるとともに、取り外しが簡単なためメンテナンスも短時間で行うことができる。
【００２６】
請求項７に記載の発明は、上記請求項１〜６に記載の発明において、固定部材を熱伝導性の優れた材料で構成したものであり、固定部材と表面プレートは接触しており、表面プレートからの熱伝導により、加熱手段を有しない固定部材上の積雪も融雪することができる。すなわち、耐久強度および融雪性能に優れ、施工時間を短縮することで、施工にかかるコストを削減できるとともに、取り外しが簡単なためメンテナンスも短時間で行うことができる。
【００２７】
請求項８に記載の発明は、上記請求項１〜７に記載の発明において、表面プレート上にすべり止め層を設けるとともに、固定部材の装着部のすべり止め層を切り欠き、前記固定部材の上面部が表面プレートの上面部より少なくとも下方に位置したものであり、表面プレート上で固定部材が突出しないため、スコップ等を用いた除雪作業が簡単になるともに、歩行者等がスムーズに移動することができる。すなわち、耐久強度および融雪性能に優れ、施工時間を短縮することで、施工にかかるコストを削減できるとともに、取り外しが簡単なためメンテナンスも短時間で行うことができる。
【００２８】
請求項９に記載の発明は、上記請求項１〜８に記載の発明において、固定部材を装着する表面プレートの一部に段差を設けたものであり、表面プレート上で固定部材が突出しないため、スコップ等を用いた除雪作業が簡単になるともに、歩行者等がスムーズに移動することができる。すなわち、耐久強度および融雪性能に優れ、施工時間を短縮することで、施工にかかるコストを削減できるとともに、取り外しが簡単なためメンテナンスも短時間で行うことができる。
【００２９】
請求項１０に記載の発明は、上記請求項１〜７に記載の発明において、表面プレートおよび固定部材上を覆うすべり止め層を設けたものであり、設置したパネル間の継ぎ目がなくなるとともに、すべり止め層により表面プレート上の凸凹を緩衝することができる。すなわち、耐久強度および融雪性能に優れ、施工時間を短縮することで、施工にかかるコストを削減できるとともに、取り外しが簡単なためメンテナンスも短時間で行うことができる。
【００３０】
【実施例】
以下、本発明の実施例について、図面を参照しながら説明する。
【００３１】
（実施例１）
図２に示すように、面状発熱体１は、路盤部３上の舗装部２の上面に複数枚設置し、降雪４を融雪する融雪装置５とするもので、降雪地域の家庭や店舗において、歩道から玄関および駐車スペースに至るアプローチを含めた融雪装置敷設部を形成するものである。
【００３２】
この面状発熱体１は、図１に示すように構成しており、加熱手段７は、通電することで発熱する電熱線を所定の間隔で設けている。表面プレート８は加熱手段７の上部に配置し、加熱手段７により発熱する。補強部９は表面プレート８を支持し、加熱手段７を保護して面状発熱体１にかかる荷重を支えている。枠部１０は補強部９と同様に表面プレート８を支持し、図３に示すように、中央に凹部を有し、表面プレート８と接触する平面部が下方に鋭角に傾斜した固定部材１１によって、表面プレート８が枠部１０に固定される雌ねじ部を有している。固定金具１２はステンレス等の錆びにくい材料で構成したボルト等で、固定部材１１の凹部に固定される。
【００３３】
すべり止め層１３は、表面プレート８の表面に微細な凹凸を有する滑り止めの表面処理をおこなったり、滑り止め効果を発揮する粒子状の混合物を含む塗料（この粒子状の混合物は、骨材とも呼ばれる）を塗布したり、シート状のもの、例えばアスファルトシートなどを、表面プレート８に貼りつけて融雪水や雨水で人や自動車が不用意に滑るのを防止できるものである。この融雪装置５が、降雪４を検知する降雪センサー、気温センサー、地温センサー（センサー類の図示は省略）を備えて、センサーからの信号に応じて自動運転、あるいは使用者の判断で手動運転するための制御装置６を備えている。
【００３４】
つぎに、上記構成の融雪装置５の施工方法および運転方法について説明する。施工作業者は舗装部２上に、面状発熱体１を設置し、固定部材１１を表面プレート８の上部から押圧するように、枠部１０にボルト等の固定金具１２で固定する。この際、固定部材１１は、隣接する複数の面状発熱体１を同時に固定する。また、隣接する面状発熱体１において、枠部１０が共用部材であってもよい。
【００３５】
つぎに、融雪装置５の運転方法を説明する。分かりやすくするために、使用者自身で降雪４があることを判断して、運転を開始した場合を想定する。制御装置６は加熱手段７に通電を開始し、その発熱で表面プレート８を加熱する。この表面プレート８の熱容量は小さく、かつ舗装部２の表面に設置されているので、所定の消費電力量にて、短時間で表面プレート８の温度が上昇する。引き続いて供給される熱エネルギーは、降雪４が面状発熱体１の表面に堆積するとすぐに、これを融雪水にするための融解熱として使用されて、短時間で融雪が行われる。
【００３６】
また、使用者は降雪４が停止したと判断すれば、直ちに運転を停止すればよい。もちろん、センサーの信号に基づいて自動運転もできる。いずれにせよ、従来の融雪装置１００に比べて、短時間で融雪でき、したがって、少ない消費電力量で融雪ができる。
【００３７】
また、実際の降雪４は、２４時間連続的に発生することは少なくて、夜間から早朝にかけて間欠的に降って、かつ日中は降らないといったように、間欠的に降雪することが多い。すなわち、融雪装置５の運転も間欠的であることが多くなる。したがって、その都度、面状発熱体１は一度冷却されるものの、再度の加温は短時間で行える。そのためにも、面状発熱体１の消費電力量が少なくてもよく、融雪装置５のランニングコストも安価である。
【００３８】
以上のように本実施例においては、面状発熱体１を地表面に設置し、さらに、固定部材１１の中央に凹部を形成しているため、固定金具１２が凹部に設置され、少なくとも表面プレート８の上部に突出しないようにできる。
【００３９】
また、表面プレート８と接触する固定部材１１の平面部は下方に鋭角に傾斜した形状になっているため、表面プレート８を上方から固定する押圧力を増大することができる。
【００４０】
また、固定部材１１が隣接する複数の表面プレート８を固定する構成であるので、表面プレート１枚ごとをビス締め等で、固定する手間が省けるため、施工時間が短縮することができる。
【００４１】
また、固定部材１１により、隣接する面状発熱体１が連結され、複数の面状発熱体１が一体化して、その重量により地表面に密着することができる。したがって、施工者は、施工およびメンテナンスが短時間で行うことができる。
【００４２】
また、表面プレート８の上部に固定金具１２が突出しないため、除雪作業等もスムーズに行うことができる。もちろん、降雪時に加熱手段７に通電すれば、上部の表面プレート８に融雪用熱量が供給され、表面プレート８の温度が速やかに上昇し、融雪効果を発揮するので、短時間に融雪をすることができる。
【００４３】
さらに、補強部９で表面プレート８にかかる荷重を支える構成で、駐車場等に設置することができる。また、施工時には、地表面に設置するため、地面を掘り返す等の土木作業を要せず、融雪装置５の施工が非常に簡単であるのは言うまでもない。
【００４４】
なお、固定部材１１を枠部１０に固定する固定部材１２の頭部が表面プレート８上において凸状にならないように、固定部材１２が嵌合するめねじの位置を枠部１０の上端面より下方に設けている。
【００４５】
なお、本実施例では、加熱手段７が電熱線や温水パイプの場合には、加熱手段７は、表面プレート８に接触した状態である。加熱手段７を直接表面プレート８にテープや接着剤で装着してもよい。テープや接着剤は、防水性を有するものであるのはいうまでもない。
【００４６】
さらに、加熱手段７に高周波電流を通電して、金属製の表面プレート８を誘導加熱して発熱体としてもよい。金属製の表面プレート８を直接的に誘導加熱で発熱させるので、きわめて高速に面状発熱体１の表面温度を上昇させて、短時間で融雪することができる。もちろん、誘導加熱であるので、表面プレート８と加熱手段７の間に空隙や部材が存在しても、つまり表面プレート８と加熱手段７が密着していなくても、部材を金属材料、特に磁性材料で構成しなければ、表面プレート８を直接加熱できることはいうまでもない。
【００４７】
したがって、施工時間を短縮することが可能で、施工にかかるコストを削減するとともに、取り外しが簡単なためメンテナンスも短時間で行うことができる。また、表面プレート８の温度を速やかに上昇させて、少ない消費電力量で、優れた融雪性能を実現することができる。
【００４８】
（実施例２）
図４に示すように、スロープ部材１４は、面状発熱体１の端部に設けており、中央に凹部を有し表面プレート８と接触する平面部が下方に鋭角に傾斜した固定部材１１により面状発熱体１の表面プレート８とスロープ部材１４を枠部１０に固定するよう構成している。他の構成は上記実施例１と同じである。
【００４９】
上記構成において、表面プレート８とスロープ部材１４を固定部材１１で一緒に固定するので、施工およびメンテナンスを短時間で行うことができる。また、スロープ部材１４につめ等の嵌合部を設け、枠部１０に設けた切り欠き部や穴部等に嵌合すれば、さらに、面状発熱体１の水平方向への荷重に対する強度を増大することができる。
【００５０】
さらに、スロープ部材１４はすべり止め処理を施している。また、固定部材１１に固定されたスロープ部材１４により面状発熱体１と地表面の段差を緩衝することができる。スロープ部材１４により歩行者や自転車、車いすなどがスムーズに移動するることができる。
【００５１】
したがって、面状発熱体１を地表面に設置し、さらに、施工時間を短縮することで、施工にかかるコストを削減できるとともに、取り外しが簡単なためメンテナンスも短時間で行うことができる。また、表面プレート８の温度を速やかに上昇させて、少ない消費電力量で、優れた融雪性能を実現する融雪装置５とすることができる。
【００５２】
（実施例３）
図５に示すように、固定部材１５はスロープ状に形成し、この固定部材１５により面状発熱体１の表面プレート８の端部を上方から枠部１０に固定するよう構成している。他の構成は上記実施例１と同じである。
【００５３】
上記構成において、固定部材１５をスロープ状に形成しているため、表面プレート８の端部を枠部１０に固定でき、さらに、面状発熱体１の端部の段差を緩衝でき、歩行者や自転車、車いす等がスムーズに移動することができる。また、固定部材１５とスロープ部材が一体化した構成であるので、部品点数が減り、施工時間が短縮でき、強度を増大することができる。
【００５４】
すなわち、地表面に設置できる構成であるとともに、施工にかかるコストを削減でき、さらに、取り外しが簡単なためメンテナンスも短時間で行うことができる。また、優れた融雪性能を実現する融雪装置とすることが可能である。
【００５５】
（実施例４）
図６に示すように、電力供給線１６は、加熱手段７に電力を供給するもので、スロープ状の固定部材１５に内挿している。他の構成は上記実施例３と同じである。
【００５６】
上記構成において、スロープ状の固定部材１５により面状発熱体１の外部からの衝撃から電力供給電線１６を保護することができ、面状発熱体１の耐久性を向上することができる。ここでは、図示していない結線部で加熱手段７と電力供給電線１６を結線している。結線部は、絶縁構成になっている。
【００５７】
また、固定部材１５は、すべり止め処理が施されている。すなわち、電送部の耐久性能および融雪性能に優れ、さらに、施工時間が短縮できることで、施工にかかるコストを削減できるとともに、取り外しが簡単なためメンテナンスも短時間で行うことができる融雪装置５とすることができる。
【００５８】
（実施例５）
図７に示すように、電線固定部１７は、電力供給電線１６を固定するもので、スロープ状の固定部材１５内に設けている。他の構成は上記実施例３または４と同じである。
【００５９】
上記構成において、電力供給電線１６を固定部材１５内に収める作業が簡単にできるとともに、電力供給電線１６が面状発熱体１からはみ出ることもなくなる。特に、駐車スペース等の広範囲な場所に複数の面状発熱体１を設置すると、制御盤からの電力供給電線１６が長くなってしまう。電力供給電線１６を電線固定部１７で保持しながら作業すれば、電線のかみ込み等がなくなり、施工作業を簡単に行うことができる。したがって、耐久性および融雪性能に優れ、施工時間を短縮することで、施工にかかるコストを削減できるとともに、取り外しが簡単なためメンテナンスも短時間で行うことができる融雪装置５とすることができる。
【００６０】
（実施例６）
図８に示すように、カバー１８は、固定部材１１の中央の凹部を覆うよう構成している。他の構成は上記実施例１または２と同じである。
【００６１】
上記構成において、固定部材１１を枠部１０に固定するボルト等の固定金具１２をカバー１８で覆うことで、固定金具１２が外力により緩むのを防ぐことができる。さらに、カバー１８の設置高さを表面プレート８の高さと同一かもしくは低くすることで、面状発熱体１上を略平面状に構成することができ、固定部材１１の凹部でハイヒールのかかと等が引っかかることもない。また、固定金具１２が外部から見えず、固定部材１１の凹部にごみやほこりが滞留しないので、美観的にも優れている。
【００６２】
また、固定部材１１またはカバー１８を熱伝導性の優れた材料で構成すると、発熱した表面プレート８からの熱伝導により、加熱手段を有しない、固定部材１１およびカバー１８上の積雪も融雪することができる。したがって、耐久性および融雪性能に優れ、施工にかかるコストを削減できるとともに、取り外しが簡単なためメンテナンスも短時間で行うことができる融雪装置５とすることができる。
【００６３】
（実施例７）
図９に示すように、すべり止め層１９は、表面プレート８上に設け、固定部材１１を装着するすべり止め層１９の一部を切り欠き、固定部材１１の上面部が表面プレート８の上面部より少なくとも下方に位置するよう構成している。他の構成は上記実施例１〜６と同じである。
【００６４】
上記構成において、表面プレート８上で固定部材１１が突出して、凸部を形成せず、降雪地域では頻繁に行われるスコップ等を用いた除雪作業も引っかかることなく作業でき、歩行者や自転車等が、スムーズに移動することができる。すなわち、耐久強度および融雪性能に優れ、施工時間を短縮することで、施工にかかるコストを削減できるとともに、取り外しが簡単なためメンテナンスも短時間で行うことができる。
【００６５】
（実施例８）
図１０に示すように、表面プレート２０は、固定部材１１を装着する一部に、少なくとも固定部材１１が表面プレート２０上に突出しないように、段差２１を設けている。他の構成は上記実施例１〜７と同じである。
【００６６】
上記構成において、表面プレート２０上で、固定部材１１が突出して凸部を形成せず、スコップ等を用いた除雪作業および歩行者等がスムーズに移動することができる。すなわち、耐久強度および融雪性能に優れ、施工時間を短縮することで、施工にかかるコストを削減できるとともに、取り外しが簡単なためメンテナンスも短時間で行うことができる。
【００６７】
（実施例９）
図１１に示すように、すべり止め層２２は、表面プレート８および固定部材１１上を覆うように設けたもので、このすべり止め層２２は、面状発熱体１の施工時に設け、アスファルトシート等、シート状で弾力性のあるものがよい。他の構成は上記実施例１〜８と同じである。
【００６８】
上記構成において、メンテナンス時に表面プレート８を取り外すときは、固定部材１１上のすべり止め層２２を切り欠き、固定部材１１を外し、プレート形状に合わせてすべり止め層２２に切り込みを入れ、取りはずせばよい。
【００６９】
したがって、すべり止め層２２により、設置した面状発熱体１間の継ぎ目がなくなるとともに、すべり止め層２２が表面プレート８上に突出した固定部材１１の凸部を緩衝することができる。また、固定部材１１の中央の凹部も上部から覆うことで、凹部にごみやほこりが堆積することはない。したがって、耐久性および融雪性能に優れ、施工時間を短縮することで、施工にかかるコストを削減できる融雪装置５とすることができる。
【００７０】
【発明の効果】
以上のように本発明の請求項１に記載の発明によれば、中央に凹部を有し表面プレートと接触する平面部が下方に鋭角に傾斜した固定部材により隣接する面状発熱体の表面プレートを上方から枠部に固定するよう構成したから、地表面に設置したとき、固定金具が表面プレート上に突出することなく、表面プレートを固定でき、また、表面プレートを固定する固定部材の平面部が下方に鋭角に傾斜しているので、固定強度を増大することができる。また、補強部で表面プレートにかかる荷重を支える構成で、駐車場等の地表面に設置可能で表面プレートの温度が速やかに上昇し、少ない消費電力量で、優れた融雪性能を実現することができる。
【００７１】
また、請求項２に記載の発明によれば、面状発熱体の端部にスロープ部材を設け、中央に凹部を有し表面プレートと接触する平面部が下方に鋭角に傾斜した固定部材により面状発熱体の表面プレートとスロープ部材を枠部に固定するよう構成したから、面状発熱体と地表面の段差をスロープ部材により緩衝することができ、また、スロープ部材により歩行者や自転車、車いすなどがスムーズに移動することができる。さらに、表面プレートの温度を速やかに上昇させて、少ない消費電力量で、優れた融雪性能を実現することができる。
【００７２】
また、請求項３に記載の発明によれば、スロープ状に形成した固定部材により面状発熱体の表面プレートの端部を上方から枠部に固定するよう構成したから、表面プレートが固定されるとともに、同時に面状発熱体の端部の段差も緩衝できるので、歩行者や自転車、車いす等スムーズに移動することができる。また、表面プレートの温度を速やかに上昇させて、少ない消費電力量で、優れた融雪性能を実現することができる。
【００７３】
また、請求項４に記載の発明によれば、加熱手段に電力を供給する電力供給電線を固定部材に内挿したから、スロープ部材により面状発熱体外部の衝撃から電線を保護することができ、耐久性を向上することができる。
【００７４】
また、請求項５に記載の発明によれば、固定部材内に電力供給電線を固定する電線固定部を設けたから、固定部材内に収める作業が簡単になるとともに、電力供給電線が面状発熱体から突出することもない。
【００７５】
また、請求項６に記載の発明によれば、固定部材の中央の凹部を覆うカバーを設けたから、固定部材を固定するボルト等の固定金具をカバーで覆うことで、固定金具が緩むのを防ぐことができる。さらに、カバーの設置高さを表面プレートと同じ高さかそれ以下にすることで、面状発熱体上が平面で構成され、固定部材で歩行者が引っかかることもなく、また、ごみやほこりが滞留しないようにできる。また、ねじ部が外部から見えないので、美観的にも優れている。
【００７６】
また、請求項７に記載の発明によれば、固定部材を熱伝導性の優れた材料で構成したから、表面プレートからの熱伝導により、加熱手段を有しない固定部材上の積雪も融雪することができる。
【００７７】
また、請求項８に記載の発明によれば、表面プレート上にすべり止め層を設けるとともに、固定部材の装着部のすべり止め層を切り欠き、前記固定部材の上面部が表面プレートの上面部より少なくとも下方に位置したから、表面プレート上で固定部材が突出しないため、スコップ等を用いた除雪作業が簡単になるともに、歩行者等がスムーズに移動することができる。
【００７８】
また、請求項９に記載の発明によれば、固定部材を装着する表面プレートの一部に段差を設けたから、表面プレート上で固定部材が突出しないため、スコップ等を用いた除雪作業が簡単になるともに、歩行者等がスムーズに移動することができる。
【００７９】
また、請求項１０に記載の発明によれば、表面プレートおよび固定部材上を覆うすべり止め層を設けたから、設置したパネル間の継ぎ目がなくなるとともに、すべり止め層により表面プレート上の凸凹を緩衝することができる。
【図面の簡単な説明】
【図１】本発明の第１の実施例の融雪装置用面状発熱体の分解断面図
【図２】同融雪装置用面状発熱体により構成した融雪装置の一部切欠した斜視図
【図３】同融雪装置用面状発熱体の要部分解斜視図
【図４】本発明の第２の実施例の融雪装置用面状発熱体の要部分解斜視図
【図５】本発明の第３の実施例の融雪装置用面状発熱体の分解断面図
【図６】本発明の第４の実施例の融雪装置用面状発熱体の断面図
【図７】本発明の第５の実施例の融雪装置用面状発熱体の断面図
【図８】本発明の第６の実施例の融雪装置用面状発熱体の要部分解斜視図
【図９】本発明の第７の実施例の融雪装置用面状発熱体の要部分解斜視図
【図１０】本発明の第８の実施例の融雪装置用面状発熱体の分解断面図
【図１１】本発明の第９の実施例の融雪装置用面状発熱体により構成した融雪装置の一部切欠した平面図
【図１２】従来の融雪装置の設置構造を示す要部断面図
【符号の説明】
１  面状発熱体
７  加熱手段
８  表面プレート
９  補強部
１０  枠部
１１  固定部材
【図１】
2004285665.tif 000003
【図２】
2004285665.tif 000004
【図３】
2004285665.tif 000005
【図４】
2004285665.tif 000006
【図５】
2004285665.tif 000007
【図６】
2004285665.tif 000008
【図７】
2004285665.tif 000009
【図８】
2004285665.tif 000010
【図９】
2004285665.tif 000011
【図１０】
2004285665.tif 000012
【図１１】
2004285665.tif 000013
【図１２】
2004285665.tif 000014